(57)【要約】  【課題】ユーザに違和感を与えることのないモニタ表示を行うと共に、テレビ放送の綺麗な映像を表示することのできる記録再生装置一体型テレビジョン受像機を提供する。  【解決手段】テレビ放送の視聴時には、コンポジット信号Ｓａがビデオデコーダ２８でデジタル放送映像信号Ｓｂに変換され、さらに、ビデオエンコーダ３０でＹ／Ｃ信号Ｓｄにエンコードされ、Ｙ／Ｃ信号Ｓｄによって放送映像がモニタ５０に表示される。また、ＤＶＤ２５の再生時には、再生映像信号Ｓｃがビデオエンコーダ３０でエンコードされたＹ／Ｃ信号Ｓｄによって再生映像がモニタ５０に表示される。電源投入時には、ＣＰＵ２１はレコーダ部２の初期化を行うと共に、初期化を行っていることを示すメッセージをモニタ５０に表示するようにＣＰＵ４１に指示する。ＣＰＵ４１は当該メッセージをモニタ５０にオンスクリーン表示させる。【選択図】  図１
2006135853.tif 000002
【特許請求の範囲】
【請求項１】
放送受信部から出力されるコンポジット信号を変換してデジタル信号を出力するビデオデコーダと、
前記デジタル信号をＤＶＤに記録すると共に当該ＤＶＤに記録されたデータを再生する記録再生手段と、
前記再生されたデータまたは前記デジタル信号のいずれかを変換してＹ／Ｃ信号を出力するビデオエンコーダと、
映像を表示するモニタと、
装置の各部を制御する制御手段と、を備え、
前記制御手段は、
電源の投入後に前記記録再生手段、ビデオデコーダおよびビデオエンコーダの初期化を行い、
前記初期化を行っている期間は、初期化を行っていることを示すメッセージを前記モニタにオンスクリーン表示させ、
前記初期化の終了後、前記デジタル信号を変換するように前記ビデオエンコーダを制御することにより、前記Ｙ／Ｃ信号によって放送映像を前記モニタに表示させ、
前記ＤＶＤの再生時には、前記再生されたデータを変換するように前記ビデオエンコーダを制御することにより、前記Ｙ／Ｃ信号によって再生映像を前記モニタに表示させることを特徴とする記録再生装置一体型テレビジョン受像機。
【請求項２】
放送受信部から出力されるコンポジット信号を変換してデジタル信号を出力するビデオデコーダと、
前記デジタル信号を記録媒体に記録すると共に当該記録媒体に記録されたデータを再生する記録再生手段と、
前記再生されたデータまたは前記デジタル信号のいずれかを変換してＹ／Ｃ信号またはコンポーネント信号を出力するビデオエンコーダと、
映像を表示するモニタと、
装置の各部を制御する制御手段と、を備え、
前記制御手段は、
電源の投入後に前記記録再生手段、ビデオデコーダおよびビデオエンコーダの初期化を行い、
前記初期化を行っている期間は、初期化を行っていることを示すメッセージを前記モニタにオンスクリーン表示させ、
前記初期化の終了後、前記デジタル信号を変換するように前記ビデオエンコーダを制御することにより、前記Ｙ／Ｃ信号またはコンポーネント信号によって放送映像を前記モニタに表示させ、
前記記録媒体の再生時には、前記再生されたデータを変換するように前記ビデオエンコーダを制御することにより、前記Ｙ／Ｃ信号またはコンポーネント信号によって再生映像を前記モニタに表示させることを特徴とする記録再生装置一体型テレビジョン受像機。
【発明の詳細な説明】
【技術分野】
【０００１】
本発明は、記録再生装置一体型テレビジョン受像機に関する。
【背景技術】
【０００２】
従来のＤＶＤレコーダ一体型テレビジョン受像機では、再生操作が行われたときに直ちにＤＶＤ（Digital Versatile Disk）を再生できるように、電源が投入されたときに予めＤＶＤレコーダ部の初期化処理が行われる。この初期化処理では、光ピックアップの基準位置への移動やＤＶＤが装置にセットされているか否かの判定などが行われる。また、フラッシュメモリに記憶されている、例えば、数百Ｋバイトのデータを記録再生用の集積回路の内部レジスタや制御部のメモリ等にそのまま、または加工して設定する処理なども行われる。このため、初期化処理に比較的長い時間（装置にもよるが５秒〜２０秒程度）を要するので、初期化処理中は放送受信部から出力されるコンポジット信号を用いて放送映像をモニタに表示するようにしている。
【０００３】
下記の特許文献１には、ハードディスクレコーダを内蔵したテレビジョン受像機について以下のことが示されている。従来は、電源が投入されるとハードディスクレコーダ部のブートアップ処理を開始し、ブートアップ処理中はモニタに「暫くお待ちください」といったメッセージを表示し、ブートアップ処理の終了後に放送番組の視聴やハードディスクの再生ができるようにしていた。しかし、このようにすると、ブートアップ処理でトラブルが発生したときに放送番組の視聴もできなくなる。そこで、電源が投入されるとブートアップ処理を開始すると共に、装置をテレビモードに設定することによって、ブートアップ処理でトラブルが発生した場合でも放送番組を視聴できるようにする。そして、ブートアップ処理中は、表示部の２つの発光ダイオードを点灯または点滅させることでブートアップ処理の状況をユーザに知らせる。下記の特許文献２には、電源投入時にＤＶＤ再生装置およびハードディスク記録再生装置が再生可能なコンテンツならびにチューナが受信可能な放送チャンネルのリストを作成して外部に接続された表示装置に表示させる複合再生装置が示されている。
【特許文献１】特開２００３−９１９２号公報（段落０００１〜００１８）
【特許文献２】特開２００４−１５１１５号公報（要約、請求項１）
【発明の開示】
【発明が解決しようとする課題】
【０００４】
一方、モニタに綺麗な放送映像を表示するためには、放送受信部から出力されるコンポジット信号によって放送映像をモニタに表示させるのではなく、コンポジット信号を放送信号の記録再生に用いられる集積回路でＹ／Ｃ信号（Ｙ信号（輝度信号）とＣ信号（クロマ信号）とに分離されたアナログ信号）に変換し、Ｙ／Ｃ信号によって放送映像を表示させることが望ましい。しかし、この場合、従来のように、ＤＶＤレコーダ部の初期化処理中はコンポジット信号によって放送映像をモニタに表示し、初期化処理の終了後に表示用信号をＹ／Ｃ信号に切り換えると、切り換え時に放送映像が不連続になったり、映像の鮮明度が変動し、ユーザに違和感を与えるという問題が生じる。
【０００５】
そこで、モニタには何も表示せずに特許文献２のように初期化処理の状況を表示部の発光ダイオードの点灯や点滅によって表示することも考えられるが、本来そのような表示部を必要としないＤＶＤレコーダ一体型テレビジョン受像機に表示部を設けるのは望ましくない。尚、特許文献１には、従来技術としてモニタに「暫くお待ちください」といったメッセージを表示することが示されているが、これは、放送受信部から出力されるコンポジット信号を、放送信号の記録再生に用いられる集積回路でＹ／Ｃ信号に変換し、Ｙ／Ｃ信号によって映像を表示させる装置に関するものではない。
【０００６】
本発明は、上記問題点を解決するものであって、その課題とするところは、ユーザに違和感を与えることのないモニタ表示を行うと共に、テレビ放送の綺麗な映像を表示することのできる記録再生装置一体型テレビジョン受像機を提供することにある。
【課題を解決するための手段】
【０００７】
本発明の記録再生装置一体型テレビジョン受像機は、放送受信部から出力されるコンポジット信号を変換してデジタル信号を出力するビデオデコーダと、上記デジタル信号を記録媒体に記録すると共に当該記録媒体に記録されたデータを再生する記録再生手段と、再生されたデータまたは上記デジタル信号のいずれかを変換してＹ／Ｃ信号またはコンポーネント信号を出力するビデオエンコーダと、映像を表示するモニタと、装置の各部を制御する制御手段と、を備える。制御手段は、電源の投入後に記録再生手段、ビデオデコーダおよびビデオエンコーダの初期化を行う。初期化を行っている期間は、初期化を行っていることを示すメッセージをモニタにオンスクリーン表示させる。初期化の終了後、上記デジタル信号を変換するようにビデオエンコーダを制御することにより、前記Ｙ／Ｃ信号またはコンポーネント信号によって放送映像をモニタに表示させる。さらに、記録媒体の再生時には、再生されたデータを変換するようにビデオエンコーダを制御することにより、前記Ｙ／Ｃ信号またはコンポーネント信号によって再生映像をモニタに表示させる。ここで、上記の制御手段には、実施形態に示すＣＰＵ２１やＣＰＵ４１、ＯＳＤ処理部４８などが相当する。また、記録再生手段には、実施形態に示す、記録再生部２６、ＭＰＥＧ２エンコーダ２７およびＭＰＥＧ２デコーダ２９が相当する。
【０００８】
このようにすることで、電源の投入後に記録再生手段等の初期化が行われている期間は、初期化処理を行っていることを示すメッセージがモニタにオンスクリーン表示され、初期化の終了後には、放送映像がＹ／Ｃ信号またはコンポーネント信号によってモニタに表示される。これにより、初期化が行われている期間はコンポジット信号によって放送映像をモニタに表示し、初期化の終了後はＹ／Ｃ信号によって放送映像をモニタに表示する場合に生じる問題、すなわち、表示用の信号の切り換え時に放送映像が不連続になったり、映像の鮮明度が変動するためにユーザに違和感を与えるという問題を防止することができる。また、放送映像がＹ／Ｃ信号またはコンポーネント信号によってモニタに表示されるので、コンポジット信号によって放送映像を表示するときに生じる問題（例えば、輝度信号中に僅かに残留している色信号によって生じるドット妨害や、色信号に輝度信号が混入するために生じるクロスカラー）が生じることがなく、テレビ放送の綺麗な映像をモニタに表示することができる。しかも、Ｙ／Ｃ信号またはコンポーネント信号を生成するために使用されるエンコーダなどは、元々は放送信号を記録・再生するためのものであるので、装置のコストが嵩むこともない。さらに、初期化処理を行っていることを示すメッセージがモニタにオンスクリーン表示されるので、初期化の状況を知らせるための発光ダイオードや表示管などを設ける必要がなく、装置のコストアップを抑えることができる。
【０００９】
本発明の実施形態においては、記録媒体はＤＶＤであり、Ｙ／Ｃ信号またはコンポーネント信号のうちでＹ／Ｃ信号によって放送映像および再生映像を表示する。このようにすることで、コンポーネント信号を生成するための回路が不要となり、装置のコストダウンを図ることができる。
【発明の効果】
【００１０】
本発明によれば、電源の投入後に記録再生手段等の初期化が行われている期間は、初期化処理を行っていることを示すメッセージがモニタにオンスクリーン表示され、初期化の終了後には、放送映像がＹ／Ｃ信号またはコンポーネント信号によってモニタに表示されるので、ユーザに違和感を与えることのないモニタ表示が行われると共に、綺麗な放送映像がモニタに表示される。
【発明を実施するための最良の形態】
【００１１】
図１は、本発明に係る記録再生装置一体型テレビジョン受像機の一例であるＤＶＤレコーダ一体型テレビジョン受像機（以下、装置という）のブロック図であり、この装置はＤＶＤレコーダ部２（以下、レコーダ部２という）とテレビジョン受像機部４（以下、テレビ部４という）とから構成される。図中の矢印付きの破線は制御信号の流れを示す。尚、テレビ放送の音声信号の処理は本発明の直接的事項ではないので、図示および説明を省略する。
【００１２】
レコーダ部２には、ＣＰＵ２１、ＲＯＭ２２、ＲＡＭ２３およびフラッシュメモリ２４が設けられている。ＣＰＵ２１は、ＲＯＭ２２に格納されているプログラムを実行することによって、レコーダ部２の各部の動作を制御する。また、テレビ部４のＣＰＵ４１に対してコマンドやデータを送受信する。ＲＡＭ２３は、各種の制御データ等の記憶領域およびＣＰＵ２１の演算作業領域として使用される。フラッシュメモリ２４には、記録再生部２６、ＭＰＥＧ２エンコーダ２７、ＭＰＥＧ２デコーダ２９、ビデオエンコーダ３０、およびビデオデコーダ２８の設定データが保存されている。電源の投入後にＣＰＵ２１がこれらの設定データを読み出して各部に設定することにより、各部が所望の動作をする。
【００１３】
テレビ部４にも、別にＣＰＵ４１、ＲＯＭ４２およびＲＡＭ４３が設けられている。ＣＰＵ４１は、ＲＯＭ４２に格納されているプログラムを実行することによって、テレビ部４の各部の動作を制御する。ＲＡＭ４３は、各種の制御データ等の記憶領域およびＣＰＵ４１の演算作業領域として使用される。ＲＯＭ４２には、オンスクリーン表示用のデータも格納されている。当該データとして、後述の所定メッセージをオンスクリーン表示するためのデータや、その他のメッセージをオンスクリーン表示するためのデータなどがある。テレビ部４のリモコン４４には、電源オン／オフボタン、再生キーなどのレコーダ部２用の操作キー、および選局キーなどのテレビ部４用の操作キーが設けられている。テレビ部４用の操作キーが押されると、ＣＰＵ４１は押された操作キーに応じた処理を行う。それに対し、レコーダ部２用の操作キーが押されると、ＣＰＵ４１は操作キーの情報をレコーダ部２のＣＰＵ２１に送信する。この情報を受信したレコーダ部２のＣＰＵ２１は、押された操作キーに応じた処理を行う。
【００１４】
次に、映像信号について説明する。アンテナ４５で受信された放送信号は、チューナ４６で選局され、増幅／検波回路４７に入力される。増幅／検波回路４７は、入力信号を増幅した後に検波することにより、アナログの放送映像信号であるコンポジット信号Ｓａを出力する。ビデオデコーダ２８は、コンポジット信号Ｓａを１つの輝度信号と２つの色差信号とに分離した後にデジタル化することにより、デジタル信号（デジタル放送映像信号）Ｓｂを出力する。このデジタル放送映像信号ＳｂはＭＰＥＧ２エンコーダ２７によってＭＰＥＧ２方式に符号化される。そして、符号化された放送映像信号は、記録再生部２６で記録型のＤＶＤ２５（ＤＶＤ−ＲやＤＶＤ−ＲＷなど）に記録される。
【００１５】
記録再生部２６は、ＤＶＤ２５に対してデータの書き込みおよび読み出しを行うための光ピックアップ、符号化された放送映像信号をＤＶＤ２５の書き込み信号に変調する変調回路、ＤＶＤ２５から読み出された信号を復調する復調回路、ＤＶＤ２５を載置して装置内に搬入するためのトレイ、ＤＶＤ２５を回転させるための回転駆動機構等から構成される。記録再生部２６で再生されたＤＶＤ２５のデータは、ＭＰＥＧ２デコーダ２９で復号化される。復号化された信号、すなわち再生映像信号Ｓｃはビデオエンコーダ３０に入力される。上記のデジタル放送映像信号Ｓｂもビデオエンコーダ３０に入力される。ビデオエンコーダ３０は、ＣＰＵ２１によって設定された設定データに従って、再生映像信号Ｓｃまたはデジタル放送映像信号Ｓｂのいずれか一方をＹ／Ｃ信号Ｓｄにエンコードして出力する。Ｙ／Ｃ信号Ｓｄは、Ｙ信号（輝度信号）とＣ信号（クロマ信号）とからなるアナログの映像信号である。
【００１６】
ＯＳＤ処理部４８は、ビデオエンコーダ３０が出力するＹ／Ｃ信号ＳｄにＣＰＵ４１が送出するオンスクリーン表示信号を重畳して出力する。このオンスクリーン表示信号は、ＲＯＭ４２に格納されている上記のオンスクリーン表示用のデータからＣＰＵ４１によって生成された信号である。ここでは、ＣＰＵ４１がオンスクリーン表示信号を送出するとしているが、実際には、不図示の回路が送出する。映像信号処理／増幅部４９は、ＯＳＤ処理部４８が出力する映像信号から垂直同期信号や水平同期信号、Ｒ，Ｇ，Ｂ信号を抽出し、抽出した信号を増幅して出力する。この増幅された信号でモニタ５０が駆動されることにより、リアルタイムの放送映像、ＤＶＤ２５の再生映像、およびオンスクリーン表示がモニタ５０に表示される。
【００１７】
次に、装置の動作について説明する。図２はレコーダ部２の動作を示すフローチャートであり、図３はテレビ部４の動作を示すフローチャートである。まず、図２を参照してレコーダ部２の動作について説明する。電源が投入されると、ＣＰＵ２１は、デコーダ部の初期化が行われていることを示す所定メッセージ（例えば、「暫くお待ちください」）をオンスクリーン表示するために、表示指示をテレビ部４のＣＰＵ４１に送信する（Ｓ１１）。このとき、所定メッセージのメッセージ番号も一緒に送信する。
【００１８】
表示指示を送信した後に、ＣＰＵ２１は、レコーダ部２の各部を初期化する（Ｓ１２）。初期化処理では、ＣＰＵ２１は、レコーダ部２が所望の動作を行うように、フラッシュメモリ２４に保存されているデータを読み出し、これらのデータを記録再生部２６、ＭＰＥＧ２エンコーダ２７、ＭＰＥＧ２デコーダ２９、ビデオエンコーダ３０およびビデオデコーダ２８のレジスタなどの設定部ならびにＲＡＭ２３に設定する。ＲＡＭ２３にはレコーダ部２の制御用のデータが設定される。この際、読み出されたデータを必要に応じて加工し、加工したデータを設定する。さらに、ＣＰＵ２１は、記録再生部２６の光ピックアップを基準位置に移動させたり、ＤＶＤ２５が記録再生部２６のトレイにセットされている場合には、リモコン４４のメニューキーが押されたときにＤＶＤ２５に記録されているタイトルメニューを直ちに表示できるように、ＤＶＤ２５の必要箇所を再生してメニュー表示に用いるデータをＲＡＭ２３に保存する。
【００１９】
初期化処理が終了すると、ＣＰＵ２１は、デジタル放送映像信号ＳｂをＹ／Ｃ信号Ｓｄにエンコードするようにビデオエンコーダ３０を設定する（Ｓ１３）。この結果、ＤＶＤ２５を再生していないときは、Ｙ／Ｃ信号Ｓｄによってリアルタイムの放送映像がモニタ５０に表示される。さらに、ＣＰＵ２１は初期化終了通知をテレビ部４のＣＰＵ４１に送信する（Ｓ１４）。ここで、ＣＰＵ２１は、テレビ部４のＣＰＵ４１から操作キーの情報を受信するまで待つ（Ｓ１５）。操作キーの情報を受信すると（Ｓ１５：ＹＥＳ）、ＣＰＵ２１は当該操作キーがＤＶＤ２５の再生用の操作キーであるか否かを判定する（Ｓ１６）。
【００２０】
当該操作キーがＤＶＤ２５の再生用の操作キーである場合は（Ｓ１６：ＹＥＳ）、ＣＰＵ２１は、再生映像信号ＳｃをＹ／Ｃ信号Ｓｄにエンコードするようにビデオエンコーダ３０を設定し（Ｓ１７）、さらに、記録再生部２６の回転駆動機構などを作動させることによりＤＶＤ２５の再生を開始する（Ｓ１８）。この結果、Ｙ／Ｃ信号ＳｄによってＤＶＤ２５の再生映像がモニタ５０に表示される。そして、ＤＶＤ２５の再生が終了すると（Ｓ１９：ＹＥＳ）、ＣＰＵ２１は、放送映像がモニタ５０に表示されるように、デジタル放送映像信号ＳｂをＹ／Ｃ信号Ｓｄにエンコードするようにビデオエンコーダ３０を設定し（Ｓ２０）、再び操作キーの情報の受信待ち状態となる（Ｓ１５）。受信した操作キーの情報がＤＶＤ２５の再生用の操作キーのものではない場合は（Ｓ１６：ＮＯ）、ＣＰＵ２１は、他の処理（例えば、当該操作キーが録画キーであるときは、放送映像信号をＤＶＤ２５に記録する処理）を行い（Ｓ２１）、再び操作キーの情報の受信待ち状態となる（Ｓ１５）。
【００２１】
次に、図３を参照してテレビ部４の動作について説明する。電源が投入されると、ＣＰＵ４１は、ビデオエンコーダ３０が出力するＹ／Ｃ信号Ｓｄを受付けないようにＯＳＤ処理部４８を設定する（Ｓ３１）。これに代えて、レコーダ部２のＣＰＵ２１が信号を出力しないようにビデオエンコーダ３０を設定するようにしてもよい。この結果、モニタ５０は非表示状態（モニタ５０の画面が真黒な状態）となる。その後、レコーダ部２のＣＰＵ２１から所定メッセージの表示指示を受信すると（Ｓ３２：ＹＥＳ）、ＣＰＵ４１は、表示指示に含まれるメッセージ番号に該当するオンスクリーン表示用のデータからオンスクリーン表示信号を生成して出力する。このオンスクリーン表示信号がＯＳＤ処理部４８に送られることで、所定メッセージがモニタ５０にオンスクリーン表示される（Ｓ３３）。図４はモニタ５０の画面５０ａに表示されたオンスクリーン表示５０ｂを示す図であり、画面５０ａのオンスクリーン表示５０ｂ以外の部分は非表示状態である。
【００２２】
その後、レコーダ部２のＣＰＵ２１から初期化終了通知を受信すると（Ｓ３４：ＹＥＳ）、ＣＰＵ４１は、上記のオンスクリーン表示信号の出力を停止することにより、所定メッセージ（オンスクリーン表示５０ｂ）をモニタ５０から消去する（Ｓ３５）。さらに、ビデオエンコーダ３０が出力するＹ／Ｃ信号Ｓｄを受付けるようにＯＳＤ処理部４８を設定する（Ｓ３６）。この時点ではビデオエンコーダ３０はデジタル放送映像信号ＳｂをＹ／Ｃ信号Ｓｄにエンコードするように設定されているので（図２のＳ１３）、チューナ４６で選局された放送チャンネルの放送映像がモニタ５０に表示される。
【００２３】
この状態で、ＣＰＵ４１はリモコン４４の操作キーが押されるのを待つ（Ｓ３７）。操作キーが押されると（Ｓ３７：ＹＥＳ）、ＣＰＵ４１は当該操作キーがレコーダ部２用の操作キーであるか否かを判定する（Ｓ３８）。当該操作キーがレコーダ部２用の操作キーである場合は（Ｓ３８：ＹＥＳ）、ＣＰＵ４１は、当該操作キーの情報をレコーダ部２のＣＰＵ２１に送信して（Ｓ３９）、再び操作キーが押されるのを待つ（Ｓ３７）。当該操作キーがレコーダ部２用の操作キーではない場合（Ｓ３８：ＮＯ）、すなわち当該操作キーがテレビ部４用の操作キーである場合は、ＣＰＵ４１は他の処理（例えば、選局キーが押されたときは、選局された放送チャンネルをチューナ４６に設定する処理）を行い（Ｓ４０）、再び操作キーが押されるのを待つ（Ｓ３７）。
【００２４】
上記の説明をまとめると、装置の電源が投入されてレコーダ部２の各部の初期化が行われている間は、初期化が行われていることを示す所定メッセージがモニタ５０にオンスクリーン表示される。また、初期化処理が終了すると、デジタル放送映像信号ＳｂがエンコードされたＹ／Ｃ信号Ｓｄによって放送映像がモニタ５０に表示される。これにより、ユーザに違和感を与えることのないモニタ表示が行われると共に、綺麗な放送映像がモニタ５０に表示される。一方、ＤＶＤ２５の再生中は、再生映像信号ＳｃがエンコードされたＹ／Ｃ信号ＳｄによってＤＶＤ２５の再生映像がモニタ５０に表示される。
【００２５】
以上述べた実施形態においては、ビデオデコーダ２８が出力するデジタル放送映像信号Ｓｂをビデオエンコーダ３０でエンコードすることによりＹ／Ｃ信号Ｓｄを生成したが、これに代えて、ＭＰＥＧ２エンコーダ２７が出力する信号をＭＰＥＧ２デコーダ２９に入力することにより上記のＹ／Ｃ信号Ｓｄを得るようにしても、本発明を実施することができる。このようにした場合には、ビデオデコーダ２８とＭＰＥＧ２エンコーダ２７とが本発明のビデオデコーダに相当し、ビデオエンコーダ３０とＭＰＥＧ２デコーダ２９とが本発明のビデオエンコーダに相当することになる。また、上記実施形態では、Ｙ／Ｃ信号Ｓｄによって映像をモニタ５０に表示するようにしたが、これに代えて、輝度信号と２つの色差信号ＣＲ、ＣＢとからなるアナログのコンポーネント信号を生成するビデオエンコーダを採用し、コンポーネント信号によって映像をモニタ５０に表示するようにしてもよい。
【００２６】
さらに、上記実施形態では、記録媒体がＤＶＤ２５である場合について説明したが、記録媒体はＤＶＤ２５以外のもの（例えば、ＣＤ−ＲＷなどの光ディスクやハードディスク）であってもよい。さらに、上記実施形態では、チューナ４６が１つである場合について説明したが、裏番組を録画できるようにレコーダ部２にも別のチューナが設けられる場合であっても本発明を実施することができる。さらに、上記実施形態では、ＣＰＵ２１でレコーダ部２を制御し、ＣＰＵ４１でテレビ部４を制御する場合について説明したが、１つのＣＰＵでレコーダ部２およびテレビ部４を制御するようにしてもよい。
【図面の簡単な説明】
【００２７】
【図１】ＤＶＤレコーダ一体型テレビジョン受像機のブロック図である。
【図２】レコーダ部の動作を示すフローチャートである。
【図３】テレビ部の動作を示すフローチャートである。
【図４】モニタに表示されるオンスクリーン表示を示す図である。
【符号の説明】
【００２８】
２    レコーダ部（ＤＶＤレコーダ部）
４    テレビ部（テレビジョン受像機部）
２１  ＣＰＵ
２５  ＤＶＤ
２６  記録再生部
２８  ビデオデコーダ
３０  ビデオエンコーダ
４１  ＣＰＵ
４６  チューナ
４８  ＯＳＤ処理部
５０  モニタ
Ｓａ  コンポジット信号
Ｓｂ  デジタル放送映像信号
Ｓｃ  再生映像信号
Ｓｄ  Ｙ／Ｃ信号
【図１】
2006135853.tif 000003
【図２】
2006135853.tif 000004
【図３】
2006135853.tif 000005
【図４】
2006135853.tif 000006